(57)【要約】【課題】発熱体収納箱を冷却する冷却装置において、制御装置を搭載することによる風量低下や冷却能力低下を軽減することができ、また、制御装置を冷却することができ、また、容易に取り付けができ、屋外に設置された場合でも、冷却装置の室内側区画や発熱体収納箱の内部への塵埃や雨水等の侵入を防止できる冷却装置を提供することを目的としている。【解決手段】制御装置収容部を内気送風機の収容区画に、内気送風機の回転軸に対し、内気送風機の回転方向の接線方向が顕熱交換器の流入口と反対方向となる側に、顕熱交換器の流入口との間に空間を有するように配置し、内気送風機より吹出された内気は制御装置収容部が配置された側の顕熱交換器にもスムーズに通風され、風量低下や冷却能力低下を軽減することができる冷却装置を得ることができる。【選択図】図４
2008227136.tif 000002
【特許請求の範囲】
【請求項１】
発熱体収納箱に取り付けられ、外郭は箱体を成し、前記箱体の少なくとも一面は着脱可能な板状部材により形成され、前記発熱体収納箱の空気を取込み、また発熱体収納箱へ戻し循環させる内気風路と、外気を取込み、また屋外へ排気する外気風路と、前記内気風路の空気を搬送する内気送風機と、前記外気風路の空気を搬送する外気送風機と、前記内気風路の空気と前記外気風路の空気との間で顕熱交換を行う顕熱交換器と、前記内気送風機と前記外気送風機の動作を制御する制御装置と、前記制御装置を収容する制御装置収容部と、前記発熱体収納箱の空気を内気吸込み口へ導入するための内気導入手段を有し、前記内気送風機と前記外気送風機は各送風機の回転軸と空気の吸込み方向が平行となるように配置され、前記顕熱交換器は、前記顕熱交換器の流入口と前記送風機の吹出口が一致するように前記内気送風機と前記外気送風機の下流側に配置され、前記内気導入手段は前記内気吸込み口と連通する様に前記箱体の外郭に配置された冷却装置において、前記制御装置収容部を前記内気送風機の収容区画に、前記内気送風機の回転軸に対し、前記内気送風機の回転方向の接線方向が前記顕熱交換器の流入口と反対方向となる側に、前記顕熱交換器の流入口との間に空間を有するように配置したことを特徴とする冷却装置。
【請求項２】
制御装置収容部内を冷却するために通気を行う制御装置収容部流入口と制御装置収容部流出口を設け、前記制御装置収容部流入口を内気送風機により送風された空気の高圧区画と連通させ、前記制御装置収容部流出口を内気導入手段と連通させたことを特徴とする請求項１記載の冷却装置。
【請求項３】
制御装置収容部内の高温部近傍に制御装置収納部流入口を配置したことを特徴とする請求項２記載の冷却装置。
【請求項４】
制御装置収容部内の高温部近傍に制御装置収納部流出口を配置したことを特徴とする請求項２または３記載の冷却装置。
【請求項５】
制御装置収容部内の高温部と、制御装置収容部流入口と、制御装置収容部流出口を略同一直線状に配置したことを特徴とする請求項２〜４のいずれかに記載の冷却装置。
【請求項６】
外気送風機が収容されている区画の箱体の角部に室外と連通する排水孔を設けたことを特徴とする請求項１〜５のいずれかに記載の冷却装置。
【請求項７】
発熱体収納箱の側面に固定を行うための固定部材を外郭の上面、底面、両側面に備え、前記固定部材は固定手段を貫通させるための開口部を備え、前記固定部材は前記固定手段により発熱体収納箱へ密封手段を介して固定され、前記固定部材のうち外郭の上面に備えられた前記固定部材の開口部は穴形状であり、底面、及び両側面に備えられた前記固定部材の開口部は切欠き形状としたことを特徴とする請求項１〜６のいずれかに記載の冷却装置。
【請求項８】
着脱可能な板状部材以外の面を１枚もしくは複数枚の板状部材から箱体を形成し、前記着脱可能な板状部材以外の隣接する面により形成される稜線のうち、隣接する面の接合により形成される稜線部分に少なくとも２つ以上の密封処理を施したことを特徴とする請求項１〜７のいずれかに記載の冷却装置。
【請求項９】
箱体の天面に密封兼断熱手段を設けたことを特徴とする請求項１〜８のいずれかに記載の冷却装置。
【請求項１０】
密封兼断熱手段として、ポリエチレンシートとしたことを特徴とする請求項９記載の冷却装置。
【発明の詳細な説明】
【技術分野】
【０００１】
本発明は、屋外に設置される箱体構造物で、内部に電子部品などの発熱体を有し、その発熱量が多く冬季においても冷却を要し、また、温度により性能、寿命に大きく影響を受けるような精密な機器を有する発熱体収納箱の冷却装置に関する。
【背景技術】
【０００２】
近年、電子部品の高性能化と制御基板に対する電子部品の高密度化が進み、制御基板からの発熱量は飛躍的に増加している。これに伴い、箱内の温度は上昇する傾向にあり、制御基板上にある電子部品の動作保証、製品寿命は箱内の温度に大きな影響を受ける。このため、箱内の温度を一定以下に冷却しなければ信頼性の確保が出来なくなってきている。
【０００３】
従来、この種の冷却装置は、顕熱交換器としての伝熱板と内気送風機としての内気吸込みファンと外気送風機としての外気吸込みファンと端子台とを備えたものが知られている（例えば、特許文献１参照）。
【０００４】
以下、その冷却装置について、図１７を参照しながら説明する。
【０００５】
冷却装置１０１は発熱体収納箱としての制御盤の扉１０２の内面に取り付けられ、制御盤内空間１０３と制御盤外空間１０４に分離されている。１０５は冷却装置１０１のケースであり、縦長の箱状に形成され、扉１０２に取り付けるためのフランジＡ１０６が上下左右に形成されている。フランジＡ１０６の正面には扉１０２との気密のためパッキン１０７が張り付けられている。ケース１０５の底面には内気吸込口としての内気吸気孔１０８および内気吹出口としての内気排気孔１０９が設けられている。ケース１０５の中央部に収納された伝熱板１１０は薄板をコルゲート状に折り曲げ、多数の隔壁部が等間隔で形成され、その長手方向の両端部が交互に１つおきに橋絡部によって接続され、交互に位置する複数個の内気側矩形流路１１１と外気側矩形流路１１２とを形成している。ケース１０５の内気吸気孔１０８は内気側矩形流路１１１に連通し、内気排気孔１０９には内気送風機としての内気吸い込みファン１１３が取り付け板１１４を介して取り付けられており、取り付け板１１４の上縁には内気の流れを偏向させるための傾斜部１１４Ａが形成されている。扉１０２の中間には外気側矩形流路１１２に連通する外気吸込口としての外気吸気孔１１５が設けられており、上部には外気吹出口としての外気排気孔１１６が設けられ、外気送風機としての外気吸込みファン１１７が取り付け板１１８を介して取り付けられている。１１９はケース１０５の上部と取り付け板１１４の上部に取り付けられた端子台で、内気吸込みファン１１３および外気吸込みファン１１７のリード線１１３Ａ、１１７Ａはそれぞれ端子台１１９の内側に接続され、外側において電線１２０でわたり配線されている。そして２個の端子台１１９のうちいずれか便利な方から電線に配線される。
【０００６】
冷却装置１０１を作動させると、制御盤内空間１０３の高温空気は矢印ａで示すように内気吸気孔１０８から吸い込まれ、内気側矩形流路１１１内を分流して内気吸込みファン１１３によって再び制御盤内空間１０３に戻される。一方、制御盤外空間１０４の低温空気は矢印ｂで示すように外気吸気孔１１５から吸い込まれ、外気側矩形流路１１２内を分流して外気吸込みファン１１７によって制御盤外空間１０４に戻される。上記の強制対流により、伝熱板１１０の隔壁部を介して熱交換が行われ、制御盤内の空気が冷却される。
【特許文献１】実開平５−８２５３号公報
【発明の開示】
【発明が解決しようとする課題】
【０００７】
近年、冷却装置を効率よく運転するために内気吸込みファンおよび外気吸込みファンの動作を制御するための制御装置を備えた冷却装置の開発が進められているが、このような従来の冷却装置では内気吸込みファンまたは外気吸込みファンが配置されている区画に制御装置を搭載することになるため、制御装置の配置によっては風量低下や、伝熱板への通風状態に偏りが発生し、冷却能力が低下する可能性がある。
【０００８】
また、冷却装置の制御装置も発熱体収納箱内の電子部品等と同様、発熱し高温状態となるため、制御装置自体を冷却する必要がある。
【０００９】
また、制御装置を搭載しその重量が多少増大しても、容易に冷却装置の取り付けを行うことができる必要がある。
【００１０】
また、発熱体収納箱は内部に電子機器等の精密機器を有しているため、屋外に設置された場合でも、発熱体収納箱内部への塵埃や雨水の侵入を防止する必要があることは言うまでもない。
【００１１】
本発明は、このような従来の課題を解決するものであり、制御装置を搭載することによる風量低下や冷却能力低下を軽減することができ、また、制御装置を冷却することができ、また、容易に取り付けができ、屋外に設置された場合でも、冷却装置の室内側区画や発熱体収納箱の内部への塵埃や雨水等の侵入を防止できる冷却装置を提供することを目的としている。
【課題を解決するための手段】
【００１２】
本発明の熱交換器は上記目的を達成するために、制御装置収容部を内気送風機の収容区画に、内気送風機の回転軸に対し、内気送風機の回転方向の接線方向が顕熱交換器の流入口と反対方向となる側に、顕熱交換器の流入口との間に空間を有するように配置したものである。
【００１３】
この手段により、制御装置を搭載することによる風量低下や冷却能力低下を軽減することができる冷却装置が得られる。
【００１４】
また、他の手段は、制御装置収容部内を冷却するために通気を行う制御装置収容部流入口と制御装置収容部流出口を設け、制御装置収容部流入口を内気送風機により送風された空気の高圧区画と連通させ、制御装置収容部流出口を内気導入手段と連通させたものである。
【００１５】
この手段により、制御装置を冷却することができる冷却装置が得られる。
【００１６】
また、他の手段は、制御装置収容部内の高温部近傍に制御装置収納部流入口を配置したものである。
【００１７】
この手段により、制御装置の高温部を冷却することができる冷却装置が得られる。
【００１８】
また他の手段は、制御装置収容部内の高温部近傍に制御装置収納部流出口を配置したものである。
【００１９】
この手段により、制御装置の高温部を冷却することができる冷却装置が得られる。
【００２０】
また、他の手段は、制御装置収容部内の高温部と、制御装置収容部流入口と、制御装置収容部流出口を略同一直線状に配置したものである。
【００２１】
この手段により、制御装置の高温部を冷却することができる冷却装置が得られる。
【００２２】
また、他の手段は、外気送風機が収容されている区画の箱体の角部に室外と連通する小孔を設けたものである。
【００２３】
この手段により、外気送風機が収容されている区画に侵入した雨水を速やかに排水処理できるため、発熱体収納箱の内部への雨水等の侵入を防止できる冷却装置が得られる。
【００２４】
また、他の手段は、発熱体収納箱の側面に固定を行うための固定部材を外郭の上面、底面、両側面に備え、固定部材は固定手段を貫通させるための開口部を備え、固定部材は固定手段により発熱体収納箱へ密封手段を介して固定され、固定部材のうち外郭の上面に備えられた固定部材の開口部は穴形状であり、底面、及び両側面に備えられた固定部材の開口部は切欠き形状としたものである。
【００２５】
この手段により、容易に冷却装置の取り付けを行うことができ、発熱体収納箱の内部への雨水等の侵入を防止できる冷却装置が得られる。
【００２６】
また、他の手段は、着脱可能な板状部材以外の面を１枚もしくは複数枚の板状部材から箱体を形成し、着脱可能な板状部材以外の隣接する面により形成される稜線のうち、隣接する面の接合により形成される稜線部分に少なくとも２つ以上の密封処理を施したものである。
【００２７】
この手段により、冷却装置の室内側区画や発熱体収納箱の内部への雨水等の侵入を防止できる冷却装置が得られる。
【００２８】
また、他の手段は、箱体の天面に密封兼断熱手段を設けたものである。
【００２９】
この手段により、冷却能力低下を軽減でき、また冷却装置の室内側区画や発熱体収納箱の内部への雨水等の侵入を防止できる冷却装置が得られる。
【００３０】
また、他の手段は、密封兼断熱手段として、ポリエチレンシートとしたものである。
【００３１】
この手段により、冷却能力低下を軽減でき、また冷却装置の室内側区画や発熱体収納箱の内部への雨水等の侵入を防止できる冷却装置が得られる。
【発明の効果】
【００３２】
本発明によれば、制御装置を搭載することによる風量低下や冷却能力低下を軽減することができるという効果のある冷却装置を提供できる。
【００３３】
また、制御装置を確実に冷却することができるという効果のある冷却装置を提供できる。
【００３４】
また、容易に冷却装置の取り付けを行うことができるという効果のある冷却装置を提供できる。
【００３５】
また、屋外に設置された場合でも、冷却装置の室内側区画や発熱体収納箱の内部への雨水等の侵入を防止できるという効果のある冷却装置を提供できる。
【発明を実施するための最良の形態】
【００３６】
発明の請求項１記載の冷却装置は、発熱体収納箱に取り付けられ、外郭は箱体を成し、箱体の少なくとも一面は着脱可能な板状部材により形成され、発熱体収納箱の空気を取込み、また発熱体収納箱へ戻し循環させる内気風路と、外気を取込み、また屋外へ排気する外気風路と、内気風路の空気を搬送する内気送風機と、外気風路の空気を搬送する外気送風機と、内気風路の空気と外気風路の空気との間で顕熱交換を行う顕熱交換器と、内気送風機と外気送風機の動作を制御する制御装置と、制御装置を収容する制御装置収容部と、前記発熱体収納箱の空気を内気吸込口へ導入するための内気導入手段を有し、内気送風機と外気送風機は各送風機の回転軸と空気の吸込み方向が平行となるように配置され、顕熱交換器は、顕熱交換器の流入口と送風機の吹出口が一致するように内気送風機と外気送風機の下流側に配置され、内気導入手段は内気吸込口と連通する様に箱体の外郭に配置された冷却装置において、制御装置収容部を内気送風機の収容区画に、内気送風機の回転軸に対し、内気送風機の回転方向の接線方向が顕熱交換器の流入口と反対方向となる側に、顕熱交換器の流入口との間に空間を有するように配置したものであり、制御装置収容部と顕熱交換器の流入口との間の空間は、内気送風機の回転方向の接線方向に存在することになるため、内気送風機の収容区画に制御装置収容部を配置しても、内気側送風機より吹出された内気は制御装置収容部と顕熱交換器の流入口との空間にもスムーズに通風され、制御装置収容部が配置された側の顕熱交換器の流入口にも通風が行われるという作用を有する。
【００３７】
また、制御装置収容部内を冷却するために通気を行う制御装置収容部流入口と制御装置収容部流出口を設け、制御装置収容部流入口を内気送風機により送風された空気の高圧区画と連通させ、制御装置収容部流出口を内気導入手段と連通させたものであり、制御装置収容部流出口と連通した内気導入手段は内気吸込口と連通しているため、制御装置収容部流出口は制御装置収容部流入口よるも低圧状態となり、制御装置収容部流入口と制御装置収容部流出口との間に圧力差が発生し、制御装置収容部へ通風され、制御装置の冷却が行われるという作用を有する。
【００３８】
また、制御装置収容部内の高温部近傍に制御装置収納部流入口を配置したものであり、制御装置収容部流入口から制御装置収容部へ流入した空気は、制御装置収容部の高温部近傍を通過するため、制御装置の高温部の冷却が行われるという作用を有する。
【００３９】
また、制御装置収容部内の高温部近傍に制御装置収納部流出口を配置したものであり、制御装置収容部流出口から排気される空気は、制御装置収容部の高温部近傍を通過するため、制御装置の高温部の冷却が行われるという作用を有する。
【００４０】
また、制御装置収容部内の高温部と、制御装置収容部流入口と、制御装置収容部流出口を略同一直線状に配置したものであり、制御装置収納部流入口から流入した空気が、制御装置収容部流出口へ略直線的に流れる通過点に、制御装置収容部内の高温部が配置されているため、制御装置収容部内の高温部に確実に通風、冷却が行われるという作用を有する。
【００４１】
また、外気送風機が収容されている区画の箱体の角部に室外と連通する小孔を設けたものであり、外気吸込口から外気送風機が収容されている区画に雨水が侵入した場合、室外と連通する小孔から排水を行うことができるという作用を有する。
【００４２】
また、発熱体収納箱の側面に固定を行うための固定部材を外郭の上面、底面、両側面に備え、固定部材は固定手段を貫通させるための開口部を備え、固定部材は固定手段により発熱体収納箱へ密封手段を介して固定され、固定部材のうち外郭の上面に備えられた固定部材の開口部は穴形状であり、底面、及び両側面に備えられた固定部材の開口部は切欠き形状としたものであり、底面および両側面の開口部が切欠き形状のため、冷却装置を取り付ける際の位置あわせが容易に行え、かつ開口部を貫通する固定手段の上側を固定部材で覆うことにより、固定手段の上側に溜まった雨水が固定手段を通じて発熱体収納箱内へ侵入することを防止するという作用を有する。
【００４３】
また、着脱可能な板状部材以外の面を１枚もしくは複数枚の板状部材から箱体を形成し、前記着脱可能な板状部材以外の隣接する面により形成される稜線のうち、隣接する面の接合により形成される稜線部分に少なくとも２つ以上の密封処理を施したたものであり、隣接する面の接合部分の防水処理を２重とすることで、１つの密封処理に不具合があった場合でも冷却装置内への塵埃、雨水の浸入を防止することができるという作用を有する。
【００４４】
また、箱体の天面に密封兼断熱手段を設けたものであり、室外に設置され、天面に雨水が溜まった場合でも冷却装置内への雨水の浸入を防止すると同時に、日射による冷却装置内部の温度上昇を抑制し、冷却能力低下を軽減するという作用を有する。
【００４５】
また、密封兼断熱手段として、ポリエチレンシートとしたものであり、室外に設置され、天面に雨水が溜まった場合でも冷却装置内への雨水の浸入を防止すると同時に、日射による冷却装置内部の温度上昇を抑制し、冷却能力低下を軽減するという作用を有する。
【００４６】
以下、本発明の実施の形態について図面を参照しながら説明する。
【００４７】
（実施の形態１）
図１は冷却装置１０１の正面図、図２は冷却装置１０１の背面図、図３は冷却装置１０１の発熱体収容箱４への取り付け状態状態の概略断面図、図４は冷却装置１０１の内部構造図、図５は冷却装置１０１の熱交換器９を示す概略分解図、図６は室内側ターボファン７の収容区画の拡大斜視図、図７は内気ダクト１７の取り付け状態を示す概略斜視図、図８は熱交換器１０１の概略斜視図である。
【００４８】
図１、２に示すように、冷却装置１０１の外郭は箱体としてのケース１０５とケース１０５と着脱可能なパネルＡ１パネルＢ２により形成され、ケース１０５の背面には外気を取り込む外気吸気孔１１５と外気排気孔１１６を設け、天面、底面、両側面にはフランジ３を設け、パネルＡ１には発熱体収納箱４の空気を取り込む内気吸気孔１０８を設け、パネルＢ２には取り込んだ空気を発熱体収納箱４へ戻す内気排気孔１０９を設けている。
【００４９】
図３に示すように、冷却装置１０１はフランジ３を固定用ネジ５により固定することで発熱体収容箱４に取り付けられ、フランジ３と発熱体収容箱４の間には密封手段としてのネオプレンゴム６を設けている。
【００５０】
図４に示すように、ケース１０５の内部には、内気送風機としての室内側ターボファン７をケース１０５の上部に配置し、外気送風機としての室外側ターボファン８をケース１０５の下部に配置し、室内側ターボファン７と室外側ターボファン８との間には室内側ターボファン７により送風された内気と室外側ターボファン８により送風された外気との間の顕熱交換を行うための熱交換器９を配置している。
【００５１】
図５に示すように、熱交換器９はポリスチレンシートの真空成型により略Ｌ字状の風路が形成された伝熱板Ａ１０および伝熱板Ｂ１１を多数枚積層し、積層された多数の伝熱板により、それぞれ独立した室内側風路１２と室外側風路１３が形成され、その外面を熱溶着することで一体化されている（本図では簡略のため４つの伝熱板のみを分解図として示している）。
【００５２】
室内側ターボファン７と室外側ターボファン８の回転数を制御するためのマイコン等を実装した制御装置としてのプリント基板１４およびその他の電子部品等は制御装置収容部としてのコントローラーボックス１５に収容されており、コントローラーボックス１５は、熱交換器９の室内空気流入口１６の上方であるケース１０５の上部の室内側ターボファン７が収容されている区画と同一区画に、室内側ターボファン７の回転軸に対し、回転方向が右回転である室内側ターボファン７の接線方向が熱交換器９の室内空気流入口１６と反対方向（上向き）となる側、すなわち熱交換器９の室内空気流入口１６が下方にあり、右回転の室内側ターボファン７の向かって左側となるように収容する。
【００５３】
図６に示すようにコントローラーボックス１５と熱交換器９の室内空気流入口１６との間には空間が設けられるようにコントローラーボックス１５は設計、配置されている。
【００５４】
また、図７に示すように、発熱体収容箱４の空気を内気吸気孔１０８へ導入するための内気導入手段としての内気ダクト１７は内気吸気孔１０８を囲む様にパネルＡ１に固定される。
【００５５】
上記構成において、図８に示すように、発熱体収納箱４内の空気は、内気ダクト１７を通り内気吸気孔１０８から取り込まれ、室内側ターボファン７から吹出された空気は熱交換器９へ送風され、熱交換器９にて外気との顕熱交換により冷却され、再び内気排気孔１０９から発熱体収納箱４へ戻り循環する（図中実線矢印Ａ）。
【００５６】
一方、外気吸気孔１１５から取り込まれ、室外側ターボファン８から吹出された外気は熱交換器９へ送風され、熱交換器９にて内気との顕熱交換後、再び外気排気孔１１６から屋外へ排気される（図中破線矢印Ｂ）。
【００５７】
このとき、室内側ターボファン７から吹出された空気は、室内側ターボファン７が右回転のため、室内側ターボファン７の左側に配置されたコントローラーボックス１５の下方の熱交換器９との空間にも通風され、コントローラーボックス１５の下方の熱交換器９の室内空気流入口１６にもスムーズに通風され、熱交換器９の室内側風路全体に送風されることになり、熱交換器９の通風路減少による圧力損失の増加にともなう風量低下や冷却能力低下を軽減することができる。
【００５８】
なお、本実施の形態では着脱可能な板状部材をパネルＡ１、パネルＢ２の２分割としたが、一体および２枚以上の複数枚に分割しても同様の作用効果を得ることができる。
【００５９】
また、内気送風機および外気送風機としてそれぞれ、室内側ターボファン７および室外側ターボファン８を用いたが、同種のファンでれば同様の作用効果を得ることができる。
【００６０】
また、熱交換器９として、ポリスチレンシートの真空成型により略Ｌ字状の風路が形成された伝熱板を多数枚積層し、積層された多数の伝熱板により、それぞれ独立した室内側風路と室内側風路が形成され、その外面を熱溶着することで一体化した熱交換器を用いたが、２つの流体がそれぞれ独立した風路を流れ、顕熱交換を行えるものであれば、その他の工法、材質および風路形状の顕熱交換器を用いても同様の作用効果を得ることができる。
【００６１】
また、密封手段としてネオプレンゴム６を用いたが、耐水性、気密性を有する弾性体であれば、同様の作用効果を得ることができる。
【００６２】
（実施の形態２）
図９は室内側ターボファン７とコントローラーボックス１５の吸気口１８との位置関係を示す概略斜視図、図１０はコントローラーボックス１５の内部の概略斜視図、図１１は内気ダクト１７とコントローラーボックス１５の排気口との位置関係を示す概略斜視図である。
【００６３】
なお、実施の形態１と同一部分は同一番号とし、同一の作用効果を有するものとし、詳細な説明は省略する。
【００６４】
図９、１０および図１１に示すように制御装置収容部流入口としてのコントローラーボックス１５の吸気口１８は、室内側ターボファン７の吹出口と同区画、すなわち室内側ターボファンの高圧区画、かつコントローラーボックス１５内に収容されている高発熱体であるプリント基板１４ａの近傍に設けてある。
【００６５】
一方、制御装置収容部流出口としてのコントローラーボックス１５の排気口１９は、コントローラーボックス１５内に収容されている高発熱体であるプリント基板１４ａの近傍のパネルＡ１に形成されており、排気口１９は内気ダクト１７と通じている。
【００６６】
上記構成において、図中矢印で示すように、室内側ターボファン７から吹出された空気の一部は、吸気口１８からコントローラーボックス１５内へ流入し、プリント基板１４ａを冷却し、排気口１９からコントローラーボックス１５外の内気ダクト１７内へ排気される。
【００６７】
排気口１９と通じている内気ダクト１７内部は、室内側ファンモーター７の吸込み区画であるため、吸気口１８に対し低圧状態にあるため、確実にコントローラーボックス１５内に通風を行うことができる。
【００６８】
また、吸気口１８、排気口１９をプリント基板１４ａの近傍に配置しているため、プリント基板１４ａ周辺の高温空気を排気し、プリント基板１４ａの冷却を行うことができる。
【００６９】
なお、本実施の形態で示した吸気口１８、排気口１９の配置は一例であり、吸気口１８を室内側ターボファン７の高圧区画、排気口１９を低圧区画に設け、吸気口１８、排気口１９のいずれか一方をプリント基板１４ａの近傍に配置しても、同様の作用効果を得ることができる。
【００７０】
（実施の形態３）
図１２はコントローラーボックス１５の内部の概略斜視図である。
【００７１】
なお、実施の形態１および実施の形態２と同一部分は同一番号とし、同一の作用効果を有するものとし、詳細な説明は省略する。
【００７２】
吸気口１８は、室内側ターボファン７の高圧区画であり、排気口１９とプリント基板１４ａを結ぶ延長線上であるコントローラーボックス１５の背面に設けてある。
【００７３】
上記構成において、図中矢印でし示すように、室内側ターボファン７から吹出された空気の一部は、吸気口１８からコントローラーボックス１５内へ流入し、プリント基板１４ａを冷却し、排気口１９へほぼ一直線に流れ、コントローラーボックス１５外の内気ダクト１７内へ排気される。
【００７４】
吸気口１８から排気口１９へ直線的に流れる途中にプリント基板１４ａが配置されているため、プリント基板１４ａの冷却が確実に行われることになる。
【００７５】
なお、本実施の形態で示した吸気口１８、排気口１９の配置は一例であり、プリント基板１４ａ、吸気口１８および排気口１９がほぼ一直線となるように配置すれば、同様の作用効果を得ることができる。
【００７６】
（実施の形態４）
図１３は室外側ターボファン８が収容されているケース１０５のコーナー部２０を示す拡大図である。
【００７７】
なお、実施の形態１、２および実施の形態３と同一部分は同一番号とし、同一の作用効果を有するものとし、詳細な説明は省略する。
【００７８】
ケース１０５は、ケース１０５ａ、１０５ｂの板金部材から構成されており、コーナー部２０においてケース１０５ａ、１０５ｂが当接するため、当接部分に屋外側と通じる小孔が形成される。
【００７９】
通常、このコーナー部２０のように屋外に面する複数の部材が当接し、屋外と通じる部分には、屋外からの塵埃や雨水の侵入を防止するために密封処理としてコーキング処理が行われることが多いが、あえてコーキング処理を施さないことで外気吸気孔１１５から室外側ターボファン８の収容区画へ侵入した雨水を排水するための排水孔２１として機能し、室外側ターボファン８の収容区画に侵入した雨水等を速やかに排水処理できるため、発熱体収納箱４の内部へ侵入することを防止できる。
【００８０】
なお、排水孔２１の大きさは、室外側ターボファン８により送風された空気が大量に屋外へ洩れ、その冷却性能に影響を与えず、かつ排水が確実に行われるように適切な寸法に設計されることが望ましい。
【００８１】
（実施の形態５）
図１４はフランジ３の開口部としての丸穴２２及びＵカット２３を示す拡大図である。
【００８２】
なお、実施の形態１、２、３および実施の形態４と同一部分は同一番号とし、同一の作用効果を有するものとし、詳細な説明は省略する。
【００８３】
固定用ネジ５が貫通するための開口部として、天面に取り付けられているフランジ３ａには丸穴２２、側面に取り付けられているフランジ３ｂには切欠き形状のＵカット２３が形成されている。フランジ３ｂの反対側面および底面に取り付けられているフランジ３にもフランジ３ｂと同様、Ｕカットが形成されている（図示省略）。
【００８４】
上記構成のおいて、天面以外の側面、底面のフランジ３の開口部をＵカット形状とすることで、すべての開口部が丸穴形状の場合に比べ、冷却装置１０１を発熱体収容箱４へ取り付ける際、位置あわせ等の作業が楽に行える。
【００８５】
また、冷却装置１０１を発熱体収納箱４へ取り付けた際、丸穴２２を貫通する固定用ネジ５の上部にはフランジ３ａがあるため、固定用ネジ５の上部に雨水が付着し、溜まることを防止する。
【００８６】
その結果、固定用ネジ５の上部に溜まった雨水が、ネジ山等を通じて発熱体収納箱４内部へ浸入することを防止できる。
【００８７】
なお、本実施例では天面に取り付けたフランジ３ａの開口部を丸穴形状としたが、角穴、多角形穴等、その開口部を貫通する固定用ネジ５の上部を覆うことができる形状であれば同様の作用効果を得ることができ、底面および側面の取り付けたフランジの切欠き形状をＵカット形状としたが、フランジ端部が開いた形状であれば同様の作用効果をえることができる。
【００８８】
（実施の形態６）
図１５は冷却装置１０１の封止処理を施す前の天面を示す概略斜視図、図１６は冷却装置１０１の封止処理を施した後の天面を示す概略斜視図である。
【００８９】
なお、実施の形態１、２、３、４および実施の形態５と同一部分は同一番号とし、同一の作用効果を有するものとし、詳細な説明は省略する。
【００９０】
図１５に示すように、冷却装置１０１のケース１０５の上部は、ケース１０５ａ、１０５ｃの板金部材から構成されており、ケース１０５ａとケース１０５ｃが当接する稜線部分２４には、密封処理としてのコーキング剤２５が充填されている。
【００９１】
また、ケース１０５ａとケース１０５ｃとの接合およびケース１０５とフランジ３との接合はリベット２６により接合されており、リベット２６部にもコーキング処理が行われている。
【００９２】
図１６に示すように、コーキング処理が行われた後、天面と側面により形成される稜線部分２４には密封処理としての防水テープ２７が貼付されており、また、天面には密封兼断熱手段としてのポリエチレンシート２８がリベット２６部を覆うように貼付されている。
【００９３】
上記構成において、天面に雨水が溜まった場合でも、ケース１０５ａとケース１０５ｃとの接合部分およびリベット２６から冷却装置１０１内への雨水の浸入を確実に防止することができる。
【００９４】
また、ポリエチレンシート２８の断熱作用により、天面裏面に位置する室内側ターボファン７の収容部の日射による温度上昇を抑制し、冷却性能低下を軽減することができる。
【００９５】
なお、本実施の形態で用いた密封手段としてのコーキング剤２５、防水テープ２７は一例であり、耐水性、耐候性を有し、接合部分の密封を行えるものであれば同様の作用効果をえることができる。
【００９６】
また、密封兼断熱手段としてポリエチレンシートを使用したが、防水性、耐水性、断熱性を有するものであれば、同様の作用効果をえることができる。
【産業上の利用可能性】
【００９７】
本発明は、移動電話基地局、簡易無線局等の屋外に設置される箱体構造物で、内部に通信機器等の発熱体を有し、その発熱量が多いため冬季においても冷却を要し、温度、湿度、粉塵、雨水などが性能、寿命に影響を与えるような精密機器を有する発熱体収納箱の冷却装置として有用である。
【図面の簡単な説明】
【００９８】
【図１】本発明の実施の形態１の冷却装置の正面図
【図２】同冷却装置の背面図
【図３】同冷却装置の発熱体収容箱への取り付け状態の概略側面構成図
【図４】同冷却装置の内部構造図
【図５】同冷却装置の熱交換器を示す概略斜視図
【図６】同冷却装置の室内側ターボファンの収容区画の拡大斜視図
【図７】同冷却装置の内気ダクトの取り付け状態を示す概略斜視図
【図８】同冷却装置の概略側面構成図
【図９】本発明の実施の形態２の冷却装置の室内側ターボファンとコントローラーボックスの吸気口との位置関係を示す概略斜視図
【図１０】同冷却装置のコントローラーボックスの内部の概略斜視図
【図１１】同冷却装置の内気ダクトとコントローラーボックスの排気口との位置関係を示す概略斜視図
【図１２】本発明の実施の形態３の冷却装置のコントローラーボックスの内部の概略斜視図
【図１３】本発明の実施の形態４の冷却装置の室外側ターボファンが収容されているケースのコーナー部を示す拡大図
【図１４】本発明の実施の形態５の冷却装置のフランジの開口部としての丸穴２２及びＵカット２３を示す拡大図
【図１５】本発明の実施の形態６の冷却装置の冷却装置の封止処理を施す前の天面を示す概略斜視図
【図１６】同冷却装置の封止処理を施した後の天面を示す概略斜視図
【図１７】従来の冷却装置を示す側面概略断面図
【符号の説明】
【００９９】
１        パネルＡ
２        パネルＢ
３        フランジ
３ａ      フランジ
３ｂ      フランジ
４        発熱体収納箱
５        固定用ネジ
６        ネオプレンゴム
７        室内側ターボファン
８        室外側ターボファン
９        熱交換器
１０      伝熱板Ａ
１１      伝熱板Ｂ
１２      室内側風路
１３      室外側風路
１４      プリント基板
１４ａ    プリント基板
１５      コントローラーボックス
１６      室内空気流入口
１７      内気ダクト
１８      吸気口
１９      排気口
２０      コーナー部
２１      排水孔
２２      丸穴
２３      Ｕカット
２４      稜線部分
２５      コーキング剤
２６      リベット
２７      防水テープ
２８      ポリエチレンシート
１０５ａ  ケース
１０５ｂ  ケース
１０５ｃ  ケース
【図１】
2008227136.tif 000003
【図２】
2008227136.tif 000004
【図３】
2008227136.tif 000005
【図４】
2008227136.tif 000006
【図５】
2008227136.tif 000007
【図６】
2008227136.tif 000008
【図７】
2008227136.tif 000009
【図８】
2008227136.tif 000010
【図９】
2008227136.tif 000011
【図１０】
2008227136.tif 000012
【図１１】
2008227136.tif 000013
【図１２】
2008227136.tif 000014
【図１３】
2008227136.tif 000015
【図１４】
2008227136.tif 000016
【図１５】
2008227136.tif 000017
【図１６】
2008227136.tif 000018
【図１７】
2008227136.tif 000019